(57)【要約】【課題】強風が吹いても接触しにくい絶縁カバーと、及び、絶縁カバーに取り付ける接触抑制具に関する。【解決手段】絶縁カバー１，２，３は、隣り合う絶縁カバー同士が接触しにくくなるように、外側に同じ極となるように磁石１２３，２２３，３２３が埋め込まれている。この絶縁カバーは、磁石の斥力により、隣り合う絶縁カバー同士が接触しにくくなる。また、接触抑制具４，５は、絶縁カバーに取り付ける道具であって、外側に同じ極となる磁石を備えている。この接触抑制具は、絶縁カバーに取り付けられると、磁石の斥力により、隣り合う絶縁カバー６同士が接触しにくくなる。【選択図】図１
2019193549.tif 000002
【特許請求の範囲】
【請求項１】
開閉器（１００）から延設される開閉器リード線（１１００）の端部と高圧縁廻電線（１２００）の端部とが電気的に接続された接続部（１４０ａ，１４０ｂ，１５０）を保護する絶縁カバー（１，２，３）であって、
前記接続部を格納する内部空間を形成し、前記内部空間と外部空間とを連通させる開口面である本体開口面を有する箱状に形成されるカバー本体（１２０，３２０）と、
前記本体開口面を塞ぐように前記カバー本体に着脱され、かつ、前記開閉器リード線及び前記高圧縁廻電線を、前記内部空間に引き込む引込孔が形成されたカバー蓋（１１０，３１０）と、
Ｎ極及びＳ極の一方の磁極を指定磁極として、前記指定磁極が前記カバー本体の外側を向くような磁界を発生させる反発部（１２３，２２３，２２４，３２３，３２４，３３０）と、
を有する絶縁カバー。
【請求項２】
請求項１に記載の絶縁カバーであって、
前記反発部は、
前記カバー本体の箱状の側面部分においてあらかじめ決められた設置位置に埋設された磁石（１２３，２２３，３２３）を備える、絶縁カバー。
【請求項３】
請求項１に記載の絶縁カバーであって、
前記反発部は、
磁石と、
前記磁石を前記カバー本体の外面に着脱可能に保持する保持部（２２４）と、
を備える、絶縁カバー。
【請求項４】
請求項３に記載の絶縁カバーであって、
前記磁石は板状に形成され、
前記保持部は、前記カバー本体に前記磁石を前記カバー本体の面に沿った一方向である摺動方向に摺動可能に固定するレール部（３２４）を備える、絶縁カバー。
【請求項５】
請求項４に記載の絶縁カバーであって、
前記カバー本体における前記本体開口面と前記本体開口面と対向する面である本体底面とを結んだ方向に沿った方向を上下方向として、
前記摺動方向は、前記上下方向であって、
前記レール部の前記本体底面側の端部である下側端部は、前記磁石が脱落しないように固定するレール保持部（３３０）を備え、
前記レール部の前記本体開口面側の端部である上側端部は、開放された形状を有する、絶縁カバー。
【請求項６】
請求項１から請求項５までのいずれか１項に記載の絶縁カバーであって、
前記カバー本体は、外形が直方体状に形成され、
前記反発部は、対向する面に設けられる、絶縁カバー。
【請求項７】
開閉器（１００）から延設される開閉器リード線（１１００）の端部と高圧縁廻電線（１２００）の端部と電気的に接続された接続部（１４０ａ，１４０ｂ，１５０）を保護する絶縁カバーの周面に着脱可能に取り付けられる接触抑制具（４，５）であって、
Ｎ極及びＳ極の一方の磁極を指定磁極として、前記指定磁極が前記接触抑制具の外側を向くような磁界を発生させる抑制反発部（４１，４５，５２，５５）と、
前記抑制反発部を前記絶縁カバーに対してあらかじめ決められた位置に位置するように固定する固定部（４２，４３，５１，５３，５４）と、
を備える、接触抑制具。
【請求項８】
請求項７に記載の接触抑制具であって、
前記固定部は、
前記絶縁カバーを挟み込むことにより前記抑制反発部を固定する挟持部（４２）を備える、接触抑制具。
【請求項９】
請求項７に記載の接触抑制具であって、
前記固定部は、
前記絶縁カバーに係合することにより前記抑制反発部を固定する係合部（４３）を備える、接触抑制具。
【発明の詳細な説明】
【技術分野】
【０００１】
本発明は、配電線の接続部分の絶縁を行う絶縁カバー、及び、絶縁カバーに取り付ける接触抑制具に関する。
【背景技術】
【０００２】
近年では、図６に示すように、開閉器１００から延設される開閉器リード線１１００と高圧縁廻電線１２００との接続部分に、ゴムやプラスチックなどの絶縁材で形成される絶縁カバー６が取り付けられている。
【０００３】
従来の絶縁カバー６は、非特許文献１及び図７（ａ）に示すように、上下方向に長尺な箱状に形成され、内部空間を有している。この絶縁カバー６のカバー蓋６１０には、開閉器リード線１１００と高圧縁廻電線１２００とを挿入する開口である第一挿入孔６１１ａ及び第二挿入孔６１１ｂが形成される。また、カバー蓋６１０の第一挿入孔６１１ａと第二挿入孔６１１ｂとの間及び第一挿入孔６１１ａ及び第二挿入孔６１１ｂのそれぞれからカバー蓋６１０の端部にかけて、一直線上にカバー蓋６１０を分割する割面部６１２を有する。この割面部６１２により、開閉器リード線１１００及び高圧縁廻電線１２００が接続された状態で、絶縁カバー６に挿入することができる。
【０００４】
開閉器リード線１１００と高圧縁廻電線１２００とは、それぞれの先端の被覆を取り除いた部分（以下、先端部分という）が重ねられて、ボルト１４０ａ及びナット１４０ｂにより固定される。これら開閉器リード線１１００及び高圧縁廻電線１２００の各先端部分とボルト１４０ａとナット１４０ｂとが、接続部１５０を構成する。
【０００５】
そして、当該接続部は、図７（ｂ）に示すように、絶縁カバー６が有する内部空間に位置するように絶縁カバー６に収納される。これにより、絶縁カバー６は、接続部１５０を絶縁する。
【０００６】
ここで、各絶縁カバー６は、開閉器リード線１１００と高圧縁廻電線１２００との接続部分に取り付けられた状態で吊持されるため、強風や電柱の揺動などにより絶縁カバー６が揺動する可能性がある。
【先行技術文献】
【非特許文献】
【０００７】
【非特許文献１】［平成３０年６月１５日検索］、インターネット（URL:http://kowaelec.jp/product/insulation/09.html）
【発明の概要】
【発明が解決しようとする課題】
【０００８】
発明者の検討の結果、以下の課題が見いだされた。
すなわち、図８に示すように、屋外の環境下において、絶縁カバー６の外面に塩やホコリなどの汚れが付着する。
【０００９】
また、絶縁カバー６の内部にもカバー蓋６１０の第一挿入孔６１１ａ及び第二挿入孔６１１ｂからの雨水の浸入などにより、接続部１５０に汚れが付着する可能性がある。
この絶縁カバー６の内外面に付着した汚れにより、絶縁カバー６には、図８に示すように、第一挿入孔６１１ａ、第二挿入孔６１１ｂを介して、絶縁カバー６の外側表面から接続部１５０に至る電路１９０が形成される。
【００１０】
このような状況において、強風による絶縁カバー６の揺動などにより、隣り合う絶縁カバー６同士が図９に示すように接触すると、隣り合う各絶縁カバー６に形成された各電路１９０により短絡することが想定される。
【００１１】
本開示は、強風による絶縁カバー６の揺動などにより絶縁カバー同士が接触することによる短絡を抑制する技術を提供する。
【課題を解決するための手段】
【００１２】
本開示の一態様は、開閉器（１００）から延設される開閉器リード線（１１００）の端部と高圧縁廻電線（１２００）の端部とが電気的に接続された接続部（１４０ａ，１４０ｂ，１５０）を保護する絶縁カバー（１，２，３）であって、カバー本体（１２０，３２０）と、カバー蓋（１１０，３１０）と、反発部（１２３，２２３，２２４，３２３，３２４，３３０）と、を有する。カバー本体は、接続部を格納する内部空間を形成し、内部空間と外部空間とを連通させる開口面である本体開口面を有する箱状に形成される。カバー蓋は、本体開口面を塞ぐようにカバー本体に着脱され、かつ、開閉器リード線及び高圧縁廻電線を、内部空間に引き込む引込孔が形成される。反発部は、Ｎ極及びＳ極の一方の磁極を指定磁極として、指定磁極がカバー本体の外側を向くような磁界を発生させる。
【００１３】
このような構成によれば、絶縁カバーの周面の少なくとも一部に外側向きに同じ磁極となる反発部を有する。このため、反発部同士は磁石の斥力により隣り合う絶縁カバーが反発し、絶縁カバー同士の接触が抑制され、その結果、短絡を抑制することができる。
【００１４】
また、本開示の別の一態様は、開閉器（１００）から延設される開閉器リード線（１１００）の端部と高圧縁廻電線（１２００）の端部と電気的に接続された接続部（１４０ａ，１４０ｂ，１５０）を保護する絶縁カバーの周面に着脱可能に取り付けられる接触抑制具（４，５）であって、抑制反発部（４１，４５，５２，５５）と、固定部（４２，４３）と、を備える。抑制反発部は、Ｎ極及びＳ極の一方の磁極を指定磁極として、指定磁極が接触抑制具の外側を向くような磁界を発生させる。固定部は、抑制反発部を絶縁カバーに対してあらかじめ決められた位置に位置するように固定する。
【００１５】
このような構成によれば、隣り合う絶縁カバーの周面に着脱可能に取り付けられた接触抑制具は反発部を有する。このため、接触抑制具に備えられた反発部同士の磁石の斥力により隣り合う絶縁カバー反発し、絶縁カバー同士の接触が抑制され、その結果、配電線の短絡を抑制することができる。
【図面の簡単な説明】
【００１６】
【図１】第一実施形態の絶縁カバーの説明図である。
【図２】第一実施形態の変形例の説明図である。
【図３】第一実施形態の変形例の説明図である。
【図４】第二実施形態の絶縁カバーの説明図である。
【図５】第二実施形態の変形例の説明図である。
【図６】絶縁カバーを取り付ける様子を説明する説明図である。
【図７】絶縁カバーを取り付ける様子を説明する説明図である。
【図８】絶縁カバーが汚損される様子を説明する説明図である。
【図９】絶縁カバーが取り付けられた隣り合う配電線が短絡する様子を説明する説明図である。
【発明を実施するための形態】
【００１７】
以下に本発明の例示的な実施形態について図面を参照しながら説明する。
［１．第一実施形態］
［１−１．構成］
第一実施形態（以下、第一実施形態の説明中では、第一実施形態を「本実施形態」ともいう）における絶縁カバー１について図を用いて説明する。
【００１８】
図１に示すように、絶縁カバー１は、カバー蓋１１０とカバー本体１２０とにより構成される。
カバー本体１２０は、外形が略直方体状で内部空間を有し、一つの面が開口した箱形状に形成される。
【００１９】
ここで、カバー本体１２０は、開口した面を本体開口面として、本体開口面と対向する面を本体底面とする。そして、カバー本体１２０を構成する本体開口面及び本体底面以外の面を本体側面という。本体側面は、本体開口面を上とし、カバー本体１２０の本体底面を下として、当該側面の左右方向に対して上下方向により長い略長方形状に形成される。また、カバー本体１２０の本体開口面及び本体底面に沿った断面形状は、略長方形で角がない形状に形成される。
【００２０】
なお、以下では、カバー本体１２０の上下方向と絶縁カバー１及び絶縁カバー１を構成する各構成における上下方向とは同一として説明する。
カバー本体１２０の側面は、一対の対向する面である大側面部１２１及び大側面部１２１に比して面積の小さい一対の対向する面である小側面部１２２により構成される。
【００２１】
大側面部１２１の一対の対向する面の面内の設置位置にはそれぞれ磁石１２３が埋設される。ここで、設置位置は、カバー本体１２０の上下方向の中央よりも下側に位置する。
磁石１２３の向きは、Ｎ極及びＳ極のうちの一方の磁極を特定磁極として特定磁極がカバー本体１２０の内部空間に対して外側を向くように設置される。例えば、一方の磁石１２３のＮ極が外向きに設置されると、他方の磁石１２３のＮ極も同様に外向きに設置される。
【００２２】
カバー蓋１１０は、カバー本体１２０の上側の本体開口面を着脱可能に覆う。
カバー蓋１１０は、第一挿入孔１１１ａと、第二挿入孔１１１ｂと、割面部１１２とを有する。第一挿入孔１１１ａは、開閉器リード線１１００を挿入可能な形状及び大きさに形成される。同様に第二挿入孔１１１ｂは、高圧縁廻電線１２００を挿入可能な形状及び大きさに形成される。また、カバー蓋１１０の第一挿入孔６１１ａと第二挿入孔１１１ｂとの間及び第一挿入孔１１１ａ及び第二挿入孔１１１ｂのそれぞれからカバー蓋１１０の端部にかけて、一直線上にカバー蓋１１０を分割する割面部１１２を有する。この割面部１１２により、開閉器リード線１１００及び高圧縁廻電線１２００が接続された状態で、絶縁カバー６に挿入することができる。
【００２３】
なお、開閉器リード線１１００は、図６に示すように、一般的な公共の電線に設置された開閉器１００から延設される導線をいう。また、高圧縁廻電線１２００は、一般的な公共の電柱に設置される電線同士を接続するための引き回しに用いられる電線をいう。
【００２４】
図７（ｂ）に示す従来技術と同様、カバー蓋１１０とカバー本体１２０とにより構成された絶縁カバー１が有する内部空間において、開閉器リード線１１００の先端の被覆を除いた部分と高圧縁廻電線１２００の先端の被覆を除いた部分がボルト１４０ａ及びナット１４０ｂにより固定されることにより、接続部１５０を構成する。
【００２５】
［１−２．作用］
本実施形態の絶縁カバー１によれば、この絶縁カバー１を用いて上述した各接続部１５０を覆った場合、各絶縁カバー１には磁石１２３がそれぞれ同じ極である指定磁極が絶縁カバー１の外側を向くように埋設される。これにより、例えば、強風や電柱の揺動などにより複数の絶縁カバー１が揺動し、互いに接近した場合などにも、絶縁カバー１に埋設された磁石１２３同士の斥力により、隣り合う絶縁カバー１の接触を抑制することができる。
【００２６】
［１−３．効果］
（１）本実施形態の絶縁カバー１によれば、塩やホコリ等の汚れが絶縁カバーの内部の接続部１５０及び外表面に付着し、電路１９０が絶縁カバー１形成されたとしても、隣り合う絶縁カバー１に埋設された磁石１２３の斥力により、絶縁カバー１同士の接触が抑制され、その結果、絶縁カバー１同士の接触による配電線の短絡を抑制することができる。
【００２７】
（２）本実施形態の絶縁カバー１によれば、絶縁カバー１は、開閉器リード線１１００と高圧縁廻電線１２００との接続部分に取り付けられた状態で吊持される。そして、絶縁カバー１において磁石１２３が埋設される位置である設置位置は、カバー本体１２０の上下方向の中央よりも下側に位置する。
【００２８】
これにより、磁石１２３が埋設される位置がカバー本体１２０の上下方向の中央よりも上側に位置する場合に比べ、絶縁カバー１が揺動した際に接近しやすい位置に磁石１２３の設置位置が位置するため、磁石１２３同士の斥力を効率よく働かせることができる。
【００２９】
[１−４．第一実施形態の変形例]
（１）上述した実施形態では、磁石１２３は、カバー本体１２０の大側面部１２１に埋め込まれるが、磁石は、大側面部１２１に埋め込まれるものに限定されるものではない。
【００３０】
例えば、図２に示す絶縁カバー２のように、磁石が埋め込まれる位置に相当する位置に大側面部２２１の外面から突出する枠体である保持部２２４を備え、保持部２２４に磁石２２３が嵌め込まれるような形態であってもよい。
【００３１】
（２）また、図３に示す絶縁カバー３のように、大側面部１２１の上下方向に延びるレール部３２４を備えてもよい。レール部３２４は、Ｌ字型の断面を有し、当該Ｌ字型の断面形状と大側面部１２１とで挟み込むようにして、レールの延びた方向に板状の磁石３２３を摺動可能に保持してもよい。そして、レール部３２４のレールの下端部分には、磁石３２３がレールから脱落することを阻止するレール保持部３３０を備えてもよい。また、レール部３２４のレールの上端部分は、磁石３２３をレール部３２４に挿入できるように開放されていてもよい。また、カバー蓋３１０には、カバー蓋３１０をカバー本体３２０に取り付けた状態においてレール部３２４の上端部に対応する位置に位置するような突出部３４０を備えてもよい。突出部３４０は、例えば、カバー蓋３１０から下方向にあらかじめ決められた突出位置まで、突出した形状に形成されてもよい。突出位置は、例えば、レール部３２４のレールの上端からレールに磁石を備えた際の上下方向の長さ分だけ離れた位置など、レール部３２４のレールから磁石３２３が脱落することが抑制できる位置であればよい。
【００３２】
また、このような形状に形成されることにより、カバー蓋３１０をカバー本体３２０から取り外した際に、容易にレール部３２４から磁石３２３を取り外すことができる。
（３）なお、レール部３２４は上下方向に延びるものに限定されるものではなく、横方向に延びるものであってもよい。すなわち、レール部３２４により磁石３２３が摺動する一方向である摺動方向は、上下方向に限定されるものではなく、横方向であってもよい。
【００３３】
この場合、横方向のレールの端部に磁石３２３の脱落を防ぐような突出部があってもよい。
なお、磁石１２３，２２３，３２３、保持部２２４、レール部３２４が反発部に相当する。
【００３４】
（４）上記実施形態では、カバー本体１２０は、外形が略直方体状の箱形形状であり、箱形状の側面部分は、縦長の角のない曲面形状に形成されるとしたが、カバー本体１２０はこのような形状に限定されるものではない。例えば、側面が平面により構成される直方体であってもよく、有底円筒状に構成されてもよい。
【００３５】
［２．第二実施形態］
［２−１．構成］
第二実施形態（以下、第二実施形態の説明中では、第二実施形態を「本実施形態」という）は、従来の絶縁カバー６に着脱可能に取り付ける接触抑制具４である。
【００３６】
すなわち、第一実施形態では、絶縁カバーそのものに磁石が配置されたが、第二実施形態では、図４に示すように、絶縁カバー６に対して着脱可能である接触抑制具４を介して磁石４５が絶縁カバー６に取り付けられる点で相違する。
【００３７】
なお、接触抑制具４は、例えば、ゴムやプラスチックなどの絶縁材により形成される。
本実施形態で使用される絶縁カバーは従来技術における絶縁カバー６に接触抑制具４が設置される場合について説明する。
【００３８】
なお、絶縁カバー６の各構成は、磁石が埋め込まれていない以外は絶縁カバー１の各構成と同様であるとして、以下説明する。
接触抑制具４は、絶縁カバー６の形状に沿った形状に形成される。
【００３９】
接触抑制具４は、抑制具保持部４１、挟持部４２及び係合部４３を備える。
抑制具保持部４１は、磁石４５を保持する形状に形成される。
挟持部４２は、抑制具保持部４１と接合され、蝶番４２１と締込部４２２と一対の周面板４２３とを備える。
【００４０】
挟持部４２は、絶縁カバー６のカバー本体６２０の周面を周面板４２３で挟み込み、蝶番４２１及び締込部４２２により、抑制具保持部４１を固定する。蝶番４２１、締込部４２２及び周面板４２３は、それぞれカバー本体６２０の形状に沿う形状に形成される。
【００４１】
蝶番４２１は、一対の周面板４２３の一端に設けられ、一対の周面板４２３を繋いでいる軸を回転軸として回動可能に接合する。
締込部４２２は、一対の周面板４２３の他端側、すなわち、一対の周面板４２３の蝶番４２１が設けられていない端に設けられる。
【００４２】
締込部４２２は、周面板４２３を閉じた状態に固定する機構を有する。締込部４２２は、例えば、一対の周面板４２３から延出され、あらかじめ決められた径のボルトを挿通させるような大きさ及び形状の穴が設けられ、当該穴をボルトとナットで固定することにより周面板４２３を閉じた状態で固定するネジ締結機構であってもよい。また、締込部４２２は、一対の周面板４２３から延出され、一方に開口を備え、他方に当該開口を挿通する凸部を備え、凸部が開口を挿通し、凸部の端部が開口に引っかかるようにすることにより、周面板４２３を閉じた状態で固定するスナップフィットであってもよい。
【００４３】
係合部４３は、係合板４３１と引掛部４３２とを備える。
係合部４３は、係合板４３１及び引掛部４３２により、抑制具保持部４１をカバー蓋６１０に係合する。
【００４４】
係合板４３１は、抑制具保持部４１と接合され、カバー本体６２０の大側面部６２１において磁石４５を設置させる位置から、カバー蓋６１０の蓋の上側まで、大側面部６２１の形状に沿って上下方向に延びる板状部分である。
【００４５】
係合板４３１は、抑制具保持部４１と接合する側と反対側の端面の中央部分に切欠部４３１ａを有する。切欠部４３１ａは、カバー蓋６１０から突出した突出部６４０の横幅、すなわち、突出部６４０のカバー蓋６１０の大側面部６２１と接する部位の縁に沿った方向の突出部６４０の幅よりも大きく形成される。
【００４６】
引掛部４３２は、係合板４３１の切欠部４３１ａが形成されていない部分の上端にカバー本体６２０の内側に向かって突出した形状に形成される。上述した切欠部４３１ａにより、係合板４３１はカバー蓋６１０が有する突出部６４０と接触することなく、引掛部４３２がカバー蓋６１０に引っかけられることにより、接触抑制具４はずり落ちることなく、接触抑制具４を絶縁カバー６に係合する。
【００４７】
［２−２．作用］
以上のように構成された接触抑制具４を絶縁カバー６に係合及び挟持させ、接触抑制具４の抑制具保持部４１に特定磁極が絶縁カバーからみて外側を向くように保持させることにより、絶縁カバー１における大側面部１２１の磁石１２３が配置される位置である設置位置に相当する位置に、磁石４５を配置することができる。
【００４８】
設置位置に配置された磁石４５の斥力により絶縁カバー６同士が接触することを抑制することができる。
［２−３．効果］
（１）上記実施形態の接触抑制具４によれば、塩やホコリなどの汚れにより上述した電路１９０が、隣り合う各絶縁カバー６に形成されても、隣り合う各絶縁カバー６が取り付けられている配電線（開閉器リード線１１００や高圧縁廻電線１２００）同士が短絡することが抑制できる。
【００４９】
（２）上記実施形態の接触抑制具４によれば、絶縁カバー６自体に磁石を埋め込む必要がなく、従来の絶縁カバー６に取り付けることにより、絶縁カバー同士が接触することを抑制することができる。
【００５０】
［２−４．第二実施形態の変形例］
（１）上記第二実施形態では、引掛部４３２により、絶縁カバー６のカバー蓋６１０に係合することにより、接触抑制具４を固定したが、接触抑制具４を固定する機構は、引掛部４３２によるものに限定されない。例えば、図５に示すように、引掛部４３２に代えて、絶縁カバー６の上方に一対の挟持板５３を回動可能に固定する大蝶番５４を配置してもよい。
【００５１】
この場合、挟持部４２は、蝶番４２１及び締込部４２２に代えて、周面板４２３の両端を締込部４２２と同様のネジ締結機構又はスナップフィットにより構成される締結部５１により締結することにより、接触抑制具５を固定してもよい。
【００５２】
なお、挟持部４２、係合部４３、締結部５１、挟持板５３及び大蝶番５４が固定部に相当する。
（２）図４に示すように抑制具保持部４１は、四角形状に限定されるものではなく、図５に示す抑制具保持部５２のように円形状であってもよい。すなわち、抑制具保持部に保持される磁石４５，５５も四角形状でも円形形状でもよく、抑制具保持部４１により保持される形状であればよい。
【００５３】
（３）上記実施形態では、接触抑制具４は挟持部４２及び係合部４３を備えるが、挟持部４２及び係合部４３の両方を備える構成に限られず、磁石４５を配置することができる場合には、一方のみを備える構成であってもよい。
【００５４】
（４）上記実施形態では、接触抑制具４は、上述したような挟持部４２及び係合部４３を備え、挟持部４２及び係合部４３により絶縁カバー６に固定されるが、接触抑制具４の絶縁カバー６への固定はこのような方法によるものに限られず、例えば接触抑制具４は内部空間を有する筒状に形成され、絶縁カバー６を当該筒状の内部空間に格納することにより、絶縁カバー６を固定してもよい。
【００５５】
なお、抑制具保持部４１、５２及び磁石４５、５５が抑制反発部に相当する
［３．他の実施形態］
（１）上記第一実施形態及び第二実施形態では、大側面部に設置される磁石の向きは、同じ磁極が外側を向くように設置されるとしたが、大側面部に設置される磁石の向きはこのような方向に限定されるものではない。例えば、絶縁カバー１と隣接する他の絶縁カバー１との間で、接近する磁石の外側の磁極が互いに同極となるように設置されていればよい。すなわち、絶縁カバー１と他の絶縁カバー１との間で、磁力による斥力が生じるように設置されていればよい。
【符号の説明】
【００５６】
１，２，３，６…絶縁カバー、４，５…接触抑制具、４５，１２３，２２３，３２３，５５…磁石、１２１，１３２，６２１…大側面部、３０…本体部、４１，５２…抑制具保持部、４２…挟持部、４３…係合部、４６…係合板、５３…挟持板、５４…大蝶番、１００…開閉器、１１０，３１０，６１０…カバー蓋、１１１ａ，６１１ａ…第一挿入孔、１１１ｂ，６１１ｂ…第二挿入孔、１１２，６１２…割面部、１２０，３２０，６２０…カバー本体、１２２…小側面部、１４０ａ…ボルト、１４０ｂ…ナット、１５０…接続部、１９０…電路、２２４…保持部、３２４…レール部、３３０…レール保持部、３４０、６４０…突出部、４２１…蝶番、４２２…締込部、４２３…周面板、４３１…係合板、４３１ａ…切欠部、４３２…引掛部、５１…締結部、１１００…開閉器リード線、１２００…高圧縁廻電線。
【図１】
2019193549.tif 000003
【図２】
2019193549.tif 000004
【図３】
2019193549.tif 000005
【図４】
2019193549.tif 000006
【図５】
2019193549.tif 000007
【図６】
2019193549.tif 000008
【図７】
2019193549.tif 000009
【図８】
2019193549.tif 000010
【図９】
2019193549.tif 000011